(57)【特許請求の範囲】
【請求項１】
機体横方向に並ぶ複数の苗植付機構を有する苗植付装置を自走機体の後部に連結し、前記各苗植付機構による苗植付け箇所の近くに各別にペースト肥料を供給する複数の施肥ポンプが装備された施肥装置を備えてある施肥装置付き乗用型田植機であって、
前記複数の施肥ポンプを前記自走機体の後部に機体横方向に並べて取り付けるとともに、前記複数の施肥ポンプにおける一部の複数の施肥ポンプを有する第１ポンプ群と、残りの複数の施肥ポンプを有する第２ポンプ群とにおいて、隣接し合う一対の施肥ポンプの肥料取入れ筒部どうしを直接に接続して連通させ、前記第１ポンプ群において最も横端に位置する施肥ポンプの肥料取入れ筒部と、前記第２ポンプ群において最も横端に位置する施肥ポンプの肥料取入れ筒部とを連通管を介して接続して連通させ、前記第１ポンプ群又は前記第２ポンプ群において前記連通管が接続している施肥ポンプとは反対側の最も横端に位置する施肥ポンプの肥料取入れ筒部に肥料タンクを接続してある施肥装置付き乗用型田植機。
【請求項２】
施肥ポンプの機体前方側を覆うカバーを備えるとともに、前記カバーに、施肥ポンプの下方に回り込んで自走機体の作業用ステップと施肥ポンプとの間に入り込む部分を備えてある請求項１記載の施肥装置付き乗用型田植機。
【請求項３】
苗植付け装置及び施肥装置に対して動力伝達する作業クラッチからの出力を施肥動力と植付け動力とに分岐させる分岐手段を設けるとともに、この分岐手段からの施肥動力を複数の施肥ポンプに伝達するように構成し、前記分岐手段からの植付け動力を複数の苗植付機構に伝達するように構成し、前記分岐手段からの植付け動力を前記複数の苗植付機構に伝達する植付け伝動系に、前記複数の苗植付機構の駆動速度を変更して各苗植付け機構による苗植付け間隔を変更するとともに伝動切り状態に切り換え自在な植付け変速装置を備えてある請求項１又は２記載の施肥装置付き乗用型田植機。
【発明の詳細な説明】
【０００１】
【発明の属する技術分野】
本発明は、機体横方向に並ぶ複数の苗植付機構を有する苗植付装置を自走機体の後部に連結し、前記各苗植付機構による苗植付け箇所の近くに各別にペースト肥料を供給する複数の施肥ポンプを備えてある施肥装置付き乗用型田植機に関する。
【０００２】
【従来の技術】
上記乗用型田植機において、施肥ポンプを苗植付装置に取付けると、苗植付装置の重量が施肥ポンプのために重くなる。このため、施肥ポンプの重量が苗植付装置に掛らないように、しかも、各施肥ポンプから苗植付機構の近くへの肥料供給が経路などの面から行いやすいように施肥ポンプを自走機体の後部に機体横方向に並べて取付けたものがあった。
【０００３】
この種の田植機においては、隣接し合う一対の施肥ポンプの肥料取入れ筒部どうしを接続して複数の施肥ポンプを連通させるとともに、最も横端に位置する施肥ポンプの肥料取入れ筒部に肥料タンクを接続することにより、各施肥ポンプに肥料を供給するように構成される。また、苗植付機構の数が異なる苗植付装置を自走機体に連結して植え付け可能な条数が異なる施肥装置付き田植機を構成されることがあるが、従来、苗植付機構の数が少ない苗植付装置を連結する場合も、苗植付機構の数が多い苗植付装置を連結する場合も、装備される施肥ポンプの全てにわたって、隣接し合うポンプの肥料取入れ筒部どうしを直接に接続することにより、全てのポンプの肥料取入れ筒部を連通させるようになっていた。
【０００４】
また、この種の田植機において、苗植付装置の苗載せ台に苗を補給する作業が行いやすいように自走機体の後部に作業用ステップを設けられることがある。この場合、施肥ポンプを自走機体の後部に取付けると、施肥ポンプが作業用ステップの上方近くに位置することになる。
【０００５】
また、この種の田植機において、従来、施肥ポンプに動力伝達すると、苗植付機構にも動力伝達されるようになっていた。
【０００６】
【発明が解決しようとする課題】
従来のポンプ連通技術では、５条など奇数条植え田植機を構成する場合、施肥ポンプの駆動を入り切りするポンプクラッチの操作構造の面で問題があった。
すなわち、複数の苗植付機構の二つずつを纏めて入り切り操作する少数条植えクラッチを採用すると、施肥ポンプも２個ずつ纏めて入り切り操作するポンプ操作機構を採用することになる。
奇数条植え田植機を構成する場合、たとえば５条植えの場合、横方向に並ぶ５個の施肥ポンプのうち、両端の２個ずつを纏めて入り切り操作し、中央の１個だけを単独で入り切り操作するように構成することになる。
ところが、奇数の施肥ポンプの肥料取り入れ筒部を従来の連通技術で連通させると、中央に位置する１個の施肥ポンプにおいては、このポンプの両横側のいずれにも隣の施肥ポンプが接近して存在することになる。この結果、２個の施肥ポンプを纏めて入り切り操作するように作成したポンプ操作機構を、中央の１個の施肥ポンプを入り切り操作するものに兼用するべく設置するスペースが中央ポンプの付近に得られず、中央の１個の施肥ポンプを入り切り操作するための専用でかつ小型な操作機構を作成する必要が生じていた。
【０００７】
作業用ステップを設けたものの場合、従来、この作業用ステップを使用する際、足元に施肥ポンプが位置することになり、施肥ポンプに足が当るとか泥が付着する事態が発生しやすくなっていた。
【０００８】
従来、施肥装置を点検や修理した際など施肥ポンプを試運転する場合、苗植付機構も駆動される問題があった。
【０００９】
本発明の目的は、施肥ポンプの操作機構の面からコストダウンを図りながら施肥ポンプを自走機体に装備できる施肥装置付き乗用型田植機を提供することにある。
【００１０】
【課題を解決するための手段】
請求項１による発明の構成、作用、効果はつぎのとおりである。
【００１１】
〔構成〕
機体横方向に並ぶ複数の苗植付機構を有する苗植付装置を自走機体の後部に連結し、前記各苗植付機構による苗植付け箇所の近くに各別にペースト肥料を供給する複数の施肥ポンプが装備された施肥装置を備えてある施肥装置付き乗用型田植機において、前記複数の施肥ポンプを前記自走機体の後部に機体横方向に並べて取り付けるとともに、前記複数の施肥ポンプにおける一部の複数の施肥ポンプを有する第１ポンプ群と、残りの複数の施肥ポンプを有する第２ポンプ群とにおいて、隣接し合う一対の施肥ポンプの肥料取入れ筒部どうしを直接に接続して連通させ、前記第１ポンプ群において最も横端に位置する施肥ポンプの肥料取入れ筒部と、前記第２ポンプ群において最も横端に位置する施肥ポンプの肥料取入れ筒部とを連通管を介して接続して連通させ、前記第１ポンプ群又は前記第２ポンプ群において前記連通管が接続している施肥ポンプとは反対側の最も横端に位置する施肥ポンプの肥料取入れ筒部に肥料タンクを接続してある。
【００１２】
〔作用〕
複数の施肥ポンプを自走機体の後部に機体横方向に並べて取り付け、一部の複数の施肥ポンプを有する第１ポンプ群と、残りの複数の施肥ポンプを有する第２ポンプ群とにおいては、隣接し合う一対の施肥ポンプの肥料取入れ筒部どうしを直接に接続して連通させ、第１ポンプ群において最も横端に位置する施肥ポンプの肥料取入れ筒部と、第２ポンプ群において最も横端に位置する施肥ポンプの肥料取入れ筒部とを連通管を介して接続して連通させてあるから、奇数条植えのもの場合、複数個の施肥ポンプを機体左端側に位置するものから２個ずつ、機体右端側に位置するものから２個ずつそれぞれ順次に選択して、２個の施肥ポンプを一組とした各組みの２個の施肥ポンプを１個の操作機構によって入り切り操作するように構成すると、ポンプ列の中央側に１個の施肥ポンプが単独で残ることになるが、この施肥ポンプの肥料取入れ筒部には連通管が連結していることになる。すると、本来２個の施肥ポンプを纏めて入り切り操作するように作成した操作機構を単独ポンプの入り切り操作に使用するべく設置するスペースを連通管の長さのためにその単独ポンプの付近に確保できる。これにより、奇数条植えの田植機を構成する場合でも、１個の施肥ポンプを操作するための専用の操作機構を不要にしながら、かつ、複数の施肥ポンプの肥料取入れ筒部を連通させるとともに最も端に位置する施肥ポンプの肥料取入れ筒部を肥料タンクに接続して各施肥ポンプに肥料供給する構成を採用しながら施肥ポンプを自走機体に取付けられる。
【００１３】
〔効果〕
したがって、施肥ポンプを自走機体に装備して苗植付装置にポンプ重量が掛らないようにできるものでありながら、かつ、複数の施肥ポンプの肥料取入れ筒部を連通させて構造簡単な供給構造によって肥料タンクから各施肥ポンプに肥料供給できるものでありながら、奇数条植えの場合でも、２個の施肥ポンプを纏めて入り切り操作する操向機構を１個の施肥ポンプを単独で操作するための操作機構に利用して安価に得られる。
【００１４】
請求項２による発明の構成、作用、効果はつぎのとおりである。
【００１５】
〔構成〕
請求項１の構成において、施肥ポンプの機体前方側を覆うカバーを備えるとともに、前記カバーに、施肥ポンプの下方に回り込んで自走機体の作業用ステップと施肥ポンプとの間に入り込む部分を備えてある。
【００１６】
〔作用〕
作業用ステップを使用する際、このステップに載せた足が施肥ポンプに近付いても、前記カバーの前記入り込み部分によって泥が施肥ポンプに付着したり、足が施肥ポンプに当ることを防止しながら使用できる。
【００１７】
〔効果〕
したがって、施肥ポンプを自走機体に装備して苗植付装置にポンプ重量が掛らないようにできるものでありながら、かつ、苗植付装置に苗を補給するなどの作業を行う際には作業用ステップを使用して容易にできるものでありながら、作業用ステップを使用する際に施肥ポンプに泥が付いたり足が当ることを回避できる。
【００１８】
請求項３による発明の構成、作用、効果はつぎのとおりである。
【００１９】
〔構成〕
請求項１又は２の構成において、苗植付け装置及び施肥装置に対して動力伝達する作業クラッチからの出力を施肥動力と植付け動力とに分岐させる分岐手段を設けるとともに、この分岐手段からの施肥動力を前記複数の施肥ポンプに伝達するように構成し、前記分岐手段からの植付け動力を複数の苗植付機構に伝達するように構成し、前記分岐手段からの植付け動力を前記複数の苗植付機構に伝達する植付け伝動系に、前記複数の苗植付機構の駆動速度を変更して各苗植付け機構による苗植付け間隔を変更するとともに伝動切り状態に切り換え自在な植付け変速装置を備えてある。
【００２０】
〔作用〕
植付け変速装置を伝動入り状態にしてあると、作業クラッチを入り切り操作すると、施肥ポンプ及び苗植付機構への伝動が入りや切りになって施肥ポンプと苗植付機構が共に駆動されたり停止する。植付け変速装置を伝動切り状態にしておいて作業クラッチを入り切り操作すると、苗植付機構への伝動が切りになったままで施肥ポンプへの伝動が入りや切りになり、苗植付機構が停止したままで施肥ポンプだけが駆動されたり停止したりする。
【００２１】
〔効果〕
したがって、作業を行う際には、苗植付機構と施肥ポンプを共に停止させて旋回走行したり共に駆動して作業走行することができるものでありながら、点検や修理などを行う際、苗植付機構を停止させながら施肥ポンプを駆動して施肥装置だけを試運転することができる。しかも、苗植付け間隔を変更するための植付け変速装置を、苗植付機構を停止状態に維持するクラッチ手段に利用して安価に得られる。
【００２２】
【発明の実施の形態】
図１、図２、図３に示すように、左右一対の操向及び駆動自在な前車輪１、左右一対の駆動自在な後車輪２、原動部の両横側に位置する予備苗収容装置３、運転座席４を有する運転部のそれぞれを備えた自走機体の機体フレーム５の後端部にリンク機構６を介して苗植付装置１０を連結するとともに、自走機体から回転軸７によって苗植付装置１０に動力伝達するように構成し、かつ、リンク機構６をリフトシリンダ８によって機体フレーム５に対して上下に揺動操作することによって苗植付装置１０を昇降操作するように構成してある。自走機体の原動部の両横側に配置した肥料タンク２１、苗植付装置１０に設けた複数本の側条施肥ノズル２２を有する側条施肥装置２０と、自走機体の運転座席４の横側に配置した肥料タンク３１、苗植付装置１０に設けた複数本の深層施肥ノズル３２を有する深層施肥装置３０を備えさせて、もって、施肥装置付き乗用型田植機を構成してある。
この施肥装置付き乗用型田植機は、自走機体を走行させることにより、苗植付装置１０によって５条の苗植付けを行い、この苗植付け作業を行うと同時に側条施肥装置２０と深層施肥装置３０とによってペースト肥料を圃場に供給していくものであり、詳しくは次の如く構成してある。
【００２３】
図２、図５などに示すように、苗植付装置１０は、植付け機体フレームを形成するとともに植付け機体の横方向に並んでいる３個の植付け伝動ケース１１それぞれの後端部に苗植付け機構１２を駆動自在に取付け、この５個の苗植付機構１２に各別に供給するマット状苗を機体横方向に並べて載置する苗載置部を備えた苗載せ台１３を、植付け機体の前部の上側に機体横方向に摺動自在に取付けるとともに苗植付機構１２が苗植え運動を行うのに連動して機体横方向に往復移送されて各苗植付機構１２に苗供給するように構成し、植付け機体の下部に植付け機体の横方向に並ぶ複数個の接地フロート１４を取付けることによって構成してある。
【００２４】
図６、図８、図９などに示すように、側条施肥装置２０は、自走機体に設けた前記左右一対の肥料タンク２１と、この両肥料タンク２１の肥料排出部に可撓性パイプなどで成る肥料供給管２４によって肥料取入れ側が接続している状態で、自走機体の後部における横一端側の運転座席４より後側に位置する部分に自走機体の横方向に並んでいる５個の側条施肥ポンプ２３と、この５個の側条施肥ポンプ２３の吐出側に肥料供給ホース２５によって各別に接続している状態で苗植付装置１０に位置する５本の側条施肥ノズル２２とによって構成してある。５本の側条施肥ノズル２２は、苗植付装置１０の各苗植付機構１２の横側近くに１本ずつ位置するように配置して、かつ、先端側が接地フロート１４の底面より下方に突出して圃場の泥土内に入り込むようにして接地フロート１４に取付けてある。
【００２５】
図６、図８、図９などに示すように、深層施肥装置３０は、自走機体に設けた前記肥料タンク３１と、この肥料タンク３１の肥料排出部に可撓性パイプで成る肥料供給管３４によって肥料取入れ側が接続している状態で、自走機体の後部の前記側条施肥ポンプ２３が位置する側とは反対側の横側で、運転座席４より後側に位置する部分に自走機体の横方向に並んでいる３個の深層施肥ポンプ３３と、この３個の深層施肥ポンプ３３の吐出側に肥料供給ホース３５によって各別に接続している状態で苗植付装置１０に位置する３本の深層施肥ノズル３２とによって構成してある。３本の深層施肥ノズル３２は、苗植付装置１０の苗植付け予定箇所どうしの間に１本ずつ位置するように配置して、かつ、先端側が接地フロート１４の底面より下方に前記側条施肥ノズル２２より長く突出して圃場の泥土内に入り込むようにして接地フロート１４に取付けてある。
【００２６】
これにより、側条施肥装置２０も深層施肥装置３０も、肥料タンク２１，３１にペースト肥料を投入しておくと、この肥料を各施肥ポンプ２３，３３によって肥料タンク２１，３１から取り出して施肥ノズル２２，３２に供給し、苗植付装置１０の各苗植付機構１２が苗植付けする箇所の近くの泥土内に施肥ノズル２２，３２によってこのノズル２２，３２の突入深さによって決まる深さで供給する。深層施肥装置３０は、深層施肥ノズル３２と側条施肥ノズル２２の接地フロート１４から下方に突出する長さの差によって、側条施肥装置２０より深い箇所に肥料供給する。
【００２７】
いずれの側条施肥ポンプ２３も、いずれの深層施肥ポンプ３３も図１３に示す如く構成してある。
すなわち、ポンプ室４０、このポンプ室４０の一端側に吐出孔４１ａが連通している吐出部４１、前記ポンプ室４０の一端側に感圧検出部が臨んでいる詰まりセンサー４２をそれぞれ一端側に備え、前記ポンプ室４０の他端側に肥料取入れ室４３ａが連通している肥料取入れ筒部４３、及び、取付け脚部４４を中間部に備え、駆動ケース部４５を他端側に備えているポンプケーシング４６と、前記ポンプ室４０に固定されているゴム製のポンプチューブ４７と、このポンプチューブ４７を回動自在に貫通している螺旋ポンプ体４８と、前記駆動ケース部４５に回動自在に支持されているポンプ駆動軸４９とによって構成してある。
【００２８】
ポンプ駆動軸４９は、このポンプ駆動軸４９とポンプ体４８との肥料取入れ筒部４３の内部に位置している端部どうしを一体回動自在に連結している連結具４９ａによってポンプ体４８に一体回動自在に連結している。ポンプ駆動軸４９及びポンプ体４８の肥料取入れ筒部４３の内部に位置する部分を、肥料取入れ筒部４３に対して偏位するように配置してある。すなわち、ポンプ駆動軸４９及びポンプ体４８の肥料取入れ筒部４３の内部に位置する部分が肥料取入れ室４３ａ、及び、肥料取入れ室４３ａの両横側の肥料取入れ口４３ｂに対して上方側に偏心して位置し、肥料取入れ筒部４３の底側にペースト肥料が通り抜けやすい流路を形成するようにしてある。
【００２９】
図１０、図１１などに示すように、５個の側条施肥ポンプ２３も３個の深層施肥ポンプ３３も、肥料取入れ筒部４３の軸芯が自走機体の横向きになり、吐出部４１の付いている方が後向きになる姿勢で自走機体の横方向に一列に並ぶように配置し、自走機体の機体フレーム５の後部に座席支持部材６０を介して固定されているポンプ台６１のポンプ支持部６１ｂに各ポンプ２３，３３の前記取付け脚部４４を取付けボルトによって固定することによって、自走機体に取付けてある。
【００３０】
図１１、図１７などに示すように、側条施肥装置２０においては、５個の側条施肥ポンプ２３における２個のポンプ２３を有する第１ポンプ群において、２個のポンプ２３の肥料取入れ筒部４３どうしを直接に接続して連通させてある。５個の側条施肥ポンプ２３における３個のポンプ２３を有する第２ポンプ群において、隣接し合う一対のポンプ２３の肥料取入れ筒部４３どうしを直接に接続して連通させてある。第１ポンプ群において第２ポンプ群の方の横端に位置するポンプ２３の肥料取入れ筒部４３と、第２ポンプ群において最も横端に位置するポンプ２３の肥料取入れ筒部４３とを、ポンプ２３とは別部品に形成した連通管５０を介して接続して連通させてある。これにより、５個のポンプ２３の肥料取入れ筒部４３は、１本の筒になっている。前記連通管５０には、各ポンプ２３の肥料取入れ筒部４３の接続端面どうしの長さと等しい又はほぼ等しい長さ、及び、その肥料取入れ筒部４３の連結部に直接連結できるようにその連結部の仕様と同一の仕様に形成した連結部を備えてある。
【００３１】
図１７に示すように、第１ポンプ群の第２ポンプ群側とは反対側に位置するポンプ２３の肥料取入れ筒部４３に取付けた筒体５１が備えているフランジと、第２ポンプ群の第１ポンプ群側とは反対側に位置するポンプ２３の肥料取入れ筒部４３に取付けた筒体５１が備えているフランジとにわたって取付けた連結ロッド５２と、この連結ロッド５２の一端側に装着したナットとによる締め付け力によって、各ポンプ２３の肥料取入れ筒部４３及び前記連通管５０を連結状態に締め付け固定してある。前記一対の筒体５１の一方に前記一対の肥料タンク２１からの肥料供給管２４を接続して各ポンプ２３の肥料取入れ筒部４３を一対の肥料タンク２１に連通させ、他方の筒体５１にキャップ５３を取付けてある。
【００３２】
図１１に示すように、深層施肥装置３０においては、３個の深層施肥ポンプ３３の隣接し合う一対のポンプ３３の肥料取入れ筒部４３どうしを直接に接続して連通させてある。両端のポンプ３３の肥料取入れ筒部４３に取付けた筒体５１が備えているフランジどうしにわたって取付けた連結ロッド５２と、この連結ロッド５２の一端側に装着したナットとによる締め付け力によって、各ポンプ３３の肥料取入れ筒部４３を連結状態に締め付け固定してある。前記一対の筒体５１の一方に前記肥料タンク３１からの肥料供給管３４を接続して各ポンプ３３の肥料取入れ筒部４３を肥料タンク３１に連通させ、他方の筒体５１にキャップ５３を取付けてある。
【００３３】
これにより、各側条施肥ポンプ２３も各深層施肥ポンプ３３も、ポンプ駆動軸４９を駆動することによってこの回動力によってポンプ体４８が駆動され、このポンプ体４８とポンプチューブ４７とによるポンプ作用により、肥料タンク２１，３１から肥料取入れ筒部４３に供給されるペースト肥料をポンプ室４０に取り入れ、ポンプ室４０から吐出部４１に吐出して前記肥料供給ホース２５，３５に供給する。
【００３４】
前記原動部に位置するエンジンＥの出力を前後輪１，２、苗植付装置１０、側条施肥ポンプ２３、深層施肥ポンプ３３に伝達する伝動構造を図７に示す如く構成してある。
すなわち、エンジンＥの出力軸の回動力を自走機体の前部に位置するミッションケース７０の内部の主クラッチ７１に入力し、この主クラッチ７１から出力される回動力を走行動力と作業動力とに分岐させ、走行動力をミッションケース７０の内部の走行用変速装置７２に伝達し、この走行用変速装置７２から出力される回動力をミッションケース７０から取り出して前後輪１，２に伝達するようにしてある。前記主クラッチ７１からの作業動力をミッションケース７０の内部の作業クラッチ７３に伝達し、この作業クラッチ７３から出力される回動力をミッションケース７０から取り出して分岐手段７４によって施肥動力と植付け動力とに分岐させ、分岐手段７４からの施肥動力を、側条変速装置２６を有する側条施肥伝動機構８０によって各側条施肥ポンプ２３の前記ポンプ駆動軸４９に、かつ、深層変速装置３６を有する深層施肥伝動機構９０によって各深層施肥ポンプ３３の前記ポンプ駆動軸４９にそれぞれ伝達するようにしてある。分岐手段７４からの植付け動力を、苗植付装置１０の植付け機体フレームを形成している伝動ケース１５の内部に位置する植付け変速装置１６に入力し、この植付け変速装置１６から出力される回動力を前記伝動ケース１５の内部に位置する苗載せ台横送り機構１７に伝達するとともに前記３個の植付け伝動ケース１１のそれぞれに入力して各植付け伝動ケース１１が支持する苗植付機構１２に伝達するようにしてある。前記植付け変速装置１６は、シフトギヤを所定の伝動ギヤに係合させることによって、所定の速度段階での伝動状態になり、シフトギヤを伝動ギヤから離脱させることによって、伝動切り状態になるように構成してある。
【００３５】
これにより、作業時には、作業クラッチ７３を入り切り操作することにより、苗植付装置１０の全ての苗植付機構１２と、側条施肥装置２０の全ての側条施肥ポンプ２３と、深層施肥装置３０の全ての深層施肥ポンプ３３とを一挙に駆動したり、これらの駆動を停止したりできる。そして、植付け変速装置１６の変速操作を行うと、この植付け変速装置１６は苗植付機構１２及び苗載せ台横送り機構１７の駆動速度を変更し、各苗植付機構１２による機体走行方向での苗植付け間隔を変更する。
【００３６】
側条施肥装置２０及び深層施肥装置３０を試運転するなどの際、植付け変速装置１６を伝動切り状態にしておいて作業クラッチ７３を入りに操作すると、苗植付装置１０の全ての苗植付機構１２への伝動が切りになったままで側条施肥装置２０及び深層施肥装置３０の全ての施肥ポンプ２３，３３への伝動が入りになり、全ての苗植付機構１２を停止させながら側条施肥装置２０及び深層施肥装置３０の全ての施肥ポンプ２３，３３を駆動できる。
【００３７】
図４に示すように、前記分岐手段７４は、前記ミッションケース７０の出力軸を前記回転軸７に連結していて作業クラッチ７３からの出力を苗植付装置１０に伝達する回転軸７５と、この回転軸７５の途中に一体回転自在に取付けてあって回転軸７５の回動力を側条施肥伝動機構８０及び深層施肥伝動機構９０の入力チェーン８１に伝達するチェーンスプロケット７６とによって構成してある。
【００３８】
図１０〜図１１に示すように、前記側条施肥伝動機構８０は、前記入力チェーン８１と、自走機体の座席支持部材６０に取付けた支持部材６２によって一端側が回動自在に支持され、ポンプ台６１の支柱部６１ａに取付けた支持部材６３によって他端側が回動自在に支持されているとともに一端に前記入力チェーン８１が巻回している機体前後向きの伝動軸８２と、この伝動軸８２の他端側に巻回している伝動チェーン８３と、この伝動チェーン８３が入力軸２６ａに巻回しているとともに前記ポンプ台６１の変速装置支持部６１ｃに固定してある前記側条変速装置２６と、この側条変速装置２６の出力軸２６ｂをこの側条変速装置２６の最も近くに位置する側条施肥ポンプ２３のポンプ駆動軸４９に備えてあるポンプクラッチ１００の入力側回転体１０１に連動連結しているポンプ駆動チェーン８４と、隣接し合う一対の側条施肥ポンプ２３のポンプクラッチ１００の入力側回転体１０１どうしを連動連結しているポンプ駆動チェーン８５と、各側条施肥ポンプ２３のポンプ駆動軸４９に備えてある前記ポンプクラッチ１００とによって構成してある。
【００３９】
図１０〜図１１に示すように、前記深層施肥伝動機構９０は、前記入力チェーン８１と、前記伝動軸８２と、この伝動軸８２の他端側に巻回している伝動チェーン９１と、この伝動チェーン９１が入力軸３６ａに巻回しているとともに前記ポンプ台６１のポンプ支持部６１ｃに固定してある前記深層変速装置３６と、この深層変速装置３６の出力軸３６ｂをこの深層変速装置３６の最も近くに位置する深層施肥ポンプ３３のポンプ駆動軸４９に備えてあるポンプクラッチ１００の入力側回転体１０１に連動連結しているポンプ駆動チェーン９２と、隣接し合う一対の深層施肥ポンプ３３のポンプクラッチ１００の入力側回転体１０１どうしを連動連結しているポンプ駆動チェーン９３と、各深層施肥ポンプ３３のポンプ駆動軸４９に備えてある前記ポンプクラッチ１００とによって構成してある。
【００４０】
これにより、側条施肥伝動機構８０も深層施肥伝動機構９０も、前記分岐伝動手段７４のチェーンスプロケット７６からの施肥動力を入力チェーン８１と伝動軸８２と伝動チェーン８３，９１とによって変速装置２６，３６に伝達して変速し、この変速装置２６，３６の出力をポンプ駆動チェーン８４，８５，９２，９３によって各ポンプ２３，３３のポンプクラッチ１００の入力側回転体１０１に伝達し、このポンプクラッチ１００を介してポンプ駆動軸４９に伝達する。
【００４１】
図１３、図１４に示すように、側条施肥ポンプ２３に備えてある前記ポンプクラッチ１００も、深層施肥ポンプ３３に備えてある前記ポンプクラッチ１００も、ポンプ駆動軸４９の先端側に相対回動自在に取付けたチェーンスプロケットで成るとともに一端側にクラッチ爪１０１ａを備えている前記入力側回転体１０１と、ポンプ駆動軸４９の前記入力側回転体１０１が付いている部分よりも基端側に位置する部分に摺動自在に外嵌しているとともにキー１０２によって一体回動自在に係合し、かつ、入力側回転体１０１のクラッチ爪１０１ａに係脱するクラッチ爪１０３ａが一端側に付いている出力側回転体１０３とで成る噛合いクラッチに構成してある。そして、出力側回転体１０３を入力側回転体１０１の方に摺動付勢しているクラッチばね１０４によって入り側に付勢してあるとともに、ポンプケーシング４６のシフター支持部５４，５５に取付け部が連結ピン１０５，１０６によって回動自在に連結しいる揺動自在なシフター１０７のフォーク部１０７ａによって出力側回転体１０３を摺動操作して入り切り操作するようにしてある。
側条施肥ポンプ２３の方のシフター１０７は、ポンプケーシング４６の上部に位置するシフター支持部５４の軸芯まわりで揺動し、深層施肥ポンプ３３の方のシフター１０７は、ポンプケーシング４６の下部に位置するシフター支持部５５の軸芯まわりで揺動する。
【００４２】
各側条施肥ポンプ２３に備えてあるポンプクラッチ１００は、前記シフター１０７の先端側に基端部が連結しているポンプクラッチレバー１１０によって入り切り操作するように構成してある。
すなわち、図１３、図１５、図１６などに示すように、ポンプケーシング４６の上部の支持部５６にレバー支持体１１１を介して取付けて各側条施肥ポンプ２３及び各深層施肥ポンプ３３、並びに、側条変速装置２６及び深層変速装置３６の上方を覆ってある上部カバー１１２に、各ポンプクラッチレバー１１０のためのガイド溝１１３を設けてある。
ポンプクラッチレバー１１０を前記ガイド溝１１３に沿わせて前記連結ピン１０５の軸芯まわりで揺動操作し、ガイド溝１１３の一端側の切り位置ｏｆｆに操作すると、シフター１０７がレバー操作力のためにクラッチばね１０４に抗して揺動して出力側回転体１０３を切り側に摺動操作し、ポンプクラッチ１００が切りになる。このとき、ポンプクラッチレバー１１０をシフター１０７との間の連結融通を利用してガイド溝１１３に連通している上部カバー１１２の切欠き部に入り込ませると、上部カバー１１２のストッパー部１１２ｂがポンプクラッチレバー１１０をクラッチばね１０４に抗して切り位置に保持する。これにより、ポンプクラッチ１００を切りに保持できる。
ポンプクラッチレバー１１０を前記ガイド溝１１３の他端側の入り位置ｏｎに操作すると、シフター１０７がクラッチばね１０４による操作力のために揺動して出力側回転体１０３を入り側に摺動操作し、ポンプクラッチ１００が入りになる。
【００４３】
側条施肥ポンプ２３の前記第１ポンプ群を形成している２個のポンプ２３の上方に左クラッチレバー１１５を設け、側条施肥ポンプ２３の前記第２ポンプ群を形成している３個のポンプ２３のうちの第１ポンプ群とは反対側に位置する２個のポンプ２３の上方に右クラッチレバー１１６を設け、前記第２ポンプ群を形成している３個のポンプ２３のうちの前記連通管５０が連結している１個のポンプ２３の上方に中クラッチレバー１１７を設けてある。
【００４４】
左クラッチレバー１１５は、５個の苗植付機構１２の機体左端側に位置する２個の苗植付機構１２の駆動を停止させて作業する際、この２個の苗植付機構１２の駆動を停止し、かつ、この２個の苗植付機構１２による苗植付け箇所の近くに肥料供給する１個の深層施肥ポンプ３３及び２個の側条施肥ポンプ２３の駆動を停止するものであり、右クラッチレバー１１６は、５個の苗植付機構１２の機体右端側に位置する２個の苗植付機構１２の駆動を停止させて作業する際、この２個の苗植付機構１２の駆動を停止し、かつ、この２個の苗植付機構１２による苗植付け箇所の近くに肥料供給する１個の深層施肥ポンプ３３及び２個の側条施肥ポンプ２３の駆動を停止するものであり、中クラッチレバー１１７は、５個の苗植付機構１２の中央に位置する１個の苗植付機構１２の駆動を停止させて作業する際、この１個の苗植付機構１２の駆動を停止し、この１個の苗植付機構１２による苗植付け箇所の近くに肥料供給する１個の深層施肥ポンプ３３及び１個の側条施肥ポンプ２３の駆動を停止するものであり、詳しくは次の如く構成してある。
【００４５】
すなわち、前記各クラッチレバー１１５，１１６，１１７は、前記上部カバー１１２に設けたガイド溝１１８に沿わせて、クラッチレバー１１５，１１６，１１７の基端部が前記レバー支持体１１１のレバー取付け部に回動自在に連結している軸芯まわりで機体前後方向に揺動操作するようにしてある。
【００４６】
左クラッチレバー１１５の遊端側の前記上部カバー１１２より下側に位置する部分に、このクラッチレバー１１５の下方に位置する２個の側条施肥ポンプ２３それぞれのポンプクラッチレバー１１０に対する操作バー１１９を固設してある。この左クラッチレバー１１５の遊端側に一端側が連結している操作ケーブル１２０ａの他端側を、左側の２個の苗植付機構１２による苗植付け箇所どうしの間に肥料供給する深層施肥ポンプ３３のポンプクラッチ１００のシフター１０７に連結し、前記左クラッチレバー１１５の遊端側に一端側が連結している操作ケーブル１２０ｂの他端側を、左端側の２個の苗植付機構１２に対する前記植付変速装置１６からの伝動を入り切りするように前記植付け伝動ケース１１の内部に設けた少数条植えクラッチ１２１の操作部に連結してある。
【００４７】
図１３、図１６などに示すように、右クラッチレバー１１６の遊端側の前記上部カバー１１２より下側に位置する部分に、このクラッチレバー１１６の下方に位置する２個の側条施肥ポンプ２３それぞれのポンプクラッチレバー１１０に対する操作バー１１９を固設し、この右クラッチレバー１１６の遊端側も、左クラッチレバー１１５の前記操作ケーブル１２０ａ，１２０ｂと同様の操作ケーブル１２０ａ，１２０ｂにより、右端側の２個の苗植付機構１２による苗植付け箇所どうしの間に肥料供給する深層施肥ポンプ３３のポンプクラッチ１００のシフター１０７と、右端側の２個の苗植付機構１２に対する前記植付変速装置１６からの伝動を入り切りするように前記植付け伝動ケース１１の内部に設けた少数条植えクラッチ１２１の操作部とに連動させてある。
【００４８】
中クラッチレバー１１７の遊端側の前記上部カバー１１２より下側に位置する部分に、このクラッチレバー１１７の下方に位置する１個の側条施肥ポンプ２３のポンプクラッチレバー１１０に対する操作バー１１９を固設し、この中クラッチレバー１１７の遊端側も、左クラッチレバー１１５の前記操作ケーブル１２０ａ，１２０ｂと同様の操作ケーブル１２０ａ，１２０ｂにより、中央の１個の苗植付機構１２による苗植付け箇所の近くに肥料供給する深層施肥ポンプ３３のポンプクラッチ１００のシフター１０７と、中央の１個の苗植付機構１２に対する前記植付変速装置１６からの伝動を入り切りするように前記植付け伝動ケース１１の内部に設けた少数条植えクラッチ１２１の操作部とに連動させてある。
【００４９】
つまり、左クラッチレバー１１５をガイド溝１１８に沿わせて揺動操作し、ガイド溝１１８の一端側の切り位置に操作すると、操作バー１１９がクラッチレバー１１５と共に移動し、このクラッチレバー１１５の下方に位置する２個の側条施肥ポンプ２３それぞれのポンプクラッチレバー１１０を切り位置ｏｆｆに押し操作し、操作ケーブル１２０ａと１２０ｂがレバー操作力のために引っ張り操作され、深層施肥ポンプ３３のポンプクラッチ１００のシフター１０７と、少数条植えクラッチ１２１の操作部とを切り側に操作する。このとき、左クラッチレバー１１５をレバー支持体１１１との間の連結融通を利用してガイド溝１１８に連通している上部カバー１１２の切欠き部に入り込ませると、上部カバー１１２のストッパー部１１２ａが左クラッチレバー１１５をポンプクラッチ１００や少数条植えクラッチ１２１の入り復元力に抗して切り位置に保持し、ポンプクラッチ１００及び少数条植えクラッチ１２１を切りに保持できる。
左クラッチレバー１１５をガイド溝１１８の他端側の入り位置に操作すると、操作バー１１９がクラッチレバー１１５と共に移動して２本のポンプクラッチレバー１１０に対する押圧操作を解除し、この２本のポンプクラッチレバー１１０をクラッチばね１０４によって入り位置ｏｎに操作し、操作ケーブル１２０ａと１２０ｂが緩み操作され深層施肥ポンプ３３のポンプクラッチ１００のシフター１０７と、少数条植えクラッチ１２１の操作部とを入り復元力によって入り側に操作する。
【００５０】
右クラッチレバー１１６及び中クラッチレバー１１７の操作バー１１９及び操作ケーブル１２０ａ，１２０ｂも側条施肥ポンプ２３のポンプクラッチレバー１１０と、深層施肥ポンプ３３のポンプクラッチ１００のシフター１０７と、少数条植えクラッチ１２１の操作部とに対して、左クラッチレバー１１５の操作バー１１９及び操作ケーブル１２０ａ，１２０ｂと同様に作用する。
【００５１】
これにより、右クラッチレバー１１６をガイド溝１１８の一端側の切り位置に操作すると、右側の２個の苗植付機構１２による苗植付け箇所の近くに肥料供給する２個の側条施肥ポンプ２３及び１  個の深層施肥ポンプ３３のポンプクラッチ１００も、右側の２個の苗植付機構１２に作用する少数条植えクラッチ１２１も切りになり、右クラッチレバー１１６をガイド溝１１８の他端側の入り位置に操作すると、その２個の側条施肥ポンプ２３及び１  個の深層施肥ポンプ３３のポンプクラッチ１００も、その少数条植えクラッチ１２１も入りになる。
【００５２】
中クラッチレバー１１７をガイド溝１１８の一端側の切り位置に操作すると、中央の１個の苗植付機構１２による苗植付け箇所の近くに肥料供給する１個の側条施肥ポンプ２３及び１  個の深層施肥ポンプ３３のポンプクラッチ１００も、中央の１個の苗植付機構１２に作用する少数条植えクラッチ１２１も切りになり、中クラッチレバー１１７をガイド溝１１８の他端側の入り位置に操作すると、その１個の側条施肥ポンプ２３及び１  個の深層施肥ポンプ３３のポンプクラッチ１００も、その少数条植えクラッチ１２１も入りになる。
【００５３】
図２、図４などに示すように、自走機体の運転座席４の両横側に後輪フェンダーに兼用の作業用ステップ１２２を設けてある。図１３などに示すように、ポンプ台６１の機体横方向での複数箇所から機体前方側に延出している支持部材１２３に下端側を取付けて支持させてあるとともに前記上部カバー１１２の下端部の内側に上端側が入り込んでいて全ての側条施肥ポンプ２３及び全ての深層施肥ポンプ３３、並びに、側条変速装置２６及び深層変速装置３６の前方を覆っている下部カバー１２４に、側条施肥ポンプ２３や深層施肥ポンプ３３の下方に回り込んで側条施肥ポンプ２３や深層施肥ポンプ３３と前記作業用ステップ１２２の後端部との間に入り込んで側条施肥ポンプ２３や深層施肥ポンプ３３を保護する部分１２４ａを備えてある。
【００５４】
すなわち、自走機体から苗植付装置１０の苗載せ台１３に苗供給する際、作業用ステップ１２２を使用することにより、苗載せ台１３に手が届きやすくなって作業しやすくなるとともに、このとき、作業用ステップ１２２に載せた足が側条施肥ポンプ２３や深層施肥ポンプ３３に近付いても、ポンプ２３，３３に泥が付着したり足が当ることを前記カバー部分１２４ａによって防止しながら作業用ステップ１２２を使用できる。
【００５５】
〔別実施形態〕
本発明は、側条施肥装置２０と深層施肥装置３０の両方を備える田植機の他、いずれか一方の施肥装置のみを備える田植機の場合にも適用できる。
【図面の簡単な説明】
【図１】施肥装置付き乗用型田植機全体の側面図
【図２】施肥装置付き乗用型田植機全体の平面図
【図３】施肥装置付き乗用型田植機全体の正面図
【図４】施肥ポンプ搭載部の側面図
【図５】苗植付装置の側面図
【図６】側条施肥装置及び深層施肥装置の概略平面図
【図７】伝動系統図
【図８】施肥ノズル配設部の側面図
【図９】接地フロートの平面図
【図１０】施肥ポンプ及び施肥変速装置搭載部の正面図
【図１１】施肥ポンプ及び施肥変速装置搭載部の平面図
【図１２】施肥ポンプ搭載部の側面図
【図１３】側条施肥ポンプの断面図
【図１４】深層施肥ポンプの断面図
【図１５】クラッチレバーのガイド溝を示す平面図
【図１６】クラッチレバーの配設部の正面図
【図１７】側条施肥ポンプの連結部の断面図
【符号の説明】
１０            苗植付装置
１２            苗植付機構
１６            植付け変速装置
２１            肥料タンク
２３，３３      施肥ポンプ
４３            肥料取入れ筒部
５０            連通管
７３            作業クラッチ
７４            分岐手段
１２２          作業ステップ
１２４          カバー
１２４ａ        カバー部分
【図１】
0003585445.tif 000002
【図２】
0003585445.tif 000003
【図３】
0003585445.tif 000004
【図４】
0003585445.tif 000005
【図５】
0003585445.tif 000006
【図６】
0003585445.tif 000007
【図７】
0003585445.tif 000008
【図８】
0003585445.tif 000009
【図９】
0003585445.tif 000010
【図１０】
0003585445.tif 000011
【図１１】
0003585445.tif 000012
【図１２】
0003585445.tif 000013
【図１３】
0003585445.tif 000014
【図１４】
0003585445.tif 000015
【図１５】
0003585445.tif 000016
【図１６】
0003585445.tif 000017
【図１７】
0003585445.tif 000018